【手続補正書】
【提出日】令和2年3月2日(2020.3.2)
【手続補正１】
【補正対象書類名】特許請求の範囲
【補正対象項目名】全文
【補正方法】変更
【補正の内容】
【特許請求の範囲】
【請求項１】
左右のサイドフレームと、
前記サイドフレームを連結する上部フレーム及び下部フレームと、
前記サイドフレームの前方に設けられる形状保持部材と、を備え、
前記形状保持部材は一端及び他端を有し、
前記形状保持部材の前記一端の前記サイドフレームへの取り付け部分は、前記サイドフレームに設けられる長孔と同一水平面上に位置し、かつ前記長孔の延在する方向に沿っていることを特徴とする乗物用シート。
【請求項２】
前記形状保持部材の前記他端の前記サイドフレームへの取り付け部分は、前記サイドフレームの前記上部フレームとの重なり部分に設けられていることを特徴とする請求項１に記載の乗物用シート。
【請求項３】
前記形状保持部材の前記一端は、前記長孔よりもシート前後方向における前方に設けられ、
前記形状保持部材の前記他端は、前記長孔よりもシート前後方向における後方に設けられていることを特徴とする請求項１又は２に記載の乗物用シート。
【請求項４】
前記形状保持部材の前記他端は、端末が折り返されて形成されていることを特徴とする請求項１乃至３のいずれか一項に記載の乗物用シート。
【請求項５】
前記形状保持部材は、シート幅方向において前記サイドフレームの内側端部よりも外側に設けられていることを特徴とする請求項１乃至４のいずれか一項に記載の乗物用シート。
【請求項６】
前記形状保持部材は、シート幅方向における前記サイドフレームの幅内に設けられていることを特徴とする請求項１乃至５のいずれか一項に記載の乗物用シート。
【請求項７】
前記形状保持部材の前記一端の前記サイドフレームへの取り付け位置と前記他端の前記サイドフレームへの取り付け位置とは、同一鉛直面上にあることを特徴とする請求項１乃至６のいずれか一項に記載の乗物用シート。
【請求項８】
左右の前記サイドフレームの間に設けられる受圧部材を備え、
前記形状保持部材の下端は、前記受圧部材の前記サイドフレームへの取り付け位置よりも上方に設けられていることを特徴とする請求項１乃至７のいずれか一項に記載の乗物用シート。
【請求項９】
前記形状保持部材の前記一端の前記サイドフレームへの取り付け部分と前記他端の前記サイドフレームへの取り付け部分とは、鉛直方向に対して異なる角度をもって延在していることを特徴とする請求項１乃至８のいずれか一項に記載の乗物用シート。
【請求項１０】
前記サイドフレームに取り付けられるエアバッグモジュールを備え、
前記形状保持部材は、シート側面視で、前記エアバッグモジュールよりも小さく形成されていることを特徴とする請求項１乃至９のいずれか一項に記載の乗物用シート。
【手続補正２】
【補正対象書類名】明細書
【補正対象項目名】発明の名称
【補正方法】変更
【補正の内容】
【発明の名称】乗物用シート
【手続補正３】
【補正対象書類名】明細書
【補正対象項目名】０００７
【補正方法】変更
【補正の内容】
【０００７】
本発明に係る乗物用シートは、左右のサイドフレームと、前記サイドフレームを連結する上部フレーム及び下部フレームと、前記サイドフレームの前方に設けられる形状保持部材と、を備え、前記形状保持部材は一端及び他端を有し、前記形状保持部材の前記一端の前記サイドフレームへの取り付け部分は、前記サイドフレームに設けられる長孔と同一水平面上に位置し、かつ前記長孔の延在する方向に沿っていることを特徴とする。
【手続補正４】
【補正対象書類名】明細書
【補正対象項目名】０００８
【補正方法】変更
【補正の内容】
【０００８】
上記の構成によれば、サイドフレームの長孔が設けられている部分の剛性を向上させることができる。
【手続補正５】
【補正対象書類名】明細書
【補正対象項目名】０００９
【補正方法】変更
【補正の内容】
【０００９】
上記の乗物用シートにおいて、前記形状保持部材の前記他端の前記サイドフレームへの取り付け部分は、前記サイドフレームの前記上部フレームとの重なり部分に設けられていると好適である。
【手続補正６】
【補正対象書類名】明細書
【補正対象項目名】００１０
【補正方法】変更
【補正の内容】
【００１０】
上記の乗物用シートにおいて、前記形状保持部材の前記一端は、前記長孔よりもシート前後方向における前方に設けられ、前記形状保持部材の前記他端は、前記長孔よりもシート前後方向における後方に設けられていると好適である。
【手続補正７】
【補正対象書類名】明細書
【補正対象項目名】００１１
【補正方法】変更
【補正の内容】
【００１１】
上記の乗物用シートにおいて、前記形状保持部材の前記他端は、端末が折り返されて形成されていると好適である。
【手続補正８】
【補正対象書類名】明細書
【補正対象項目名】００１２
【補正方法】変更
【補正の内容】
【００１２】
上記の乗物用シートにおいて、前記形状保持部材は、シート幅方向において前記サイドフレームの内側端部よりも外側に設けられていると好適である。
【手続補正９】
【補正対象書類名】明細書
【補正対象項目名】００１３
【補正方法】変更
【補正の内容】
【００１３】
上記の乗物用シートにおいて、前記形状保持部材は、シート幅方向における前記サイドフレームの幅内に設けられていると好適である。
【手続補正１０】
【補正対象書類名】明細書
【補正対象項目名】００１４
【補正方法】変更
【補正の内容】
【００１４】
上記の乗物用シートにおいて、前記形状保持部材の前記一端の前記サイドフレームへの取り付け位置と前記他端の前記サイドフレームへの取り付け位置とは、同一鉛直面上にあると好適である。
【手続補正１１】
【補正対象書類名】明細書
【補正対象項目名】００１５
【補正方法】変更
【補正の内容】
【００１５】
上記の乗物用シートにおいて、左右の前記サイドフレームの間に設けられる受圧部材を備え、前記形状保持部材の下端は、前記受圧部材の前記サイドフレームへの取り付け位置よりも上方に設けられていると好適である。
【手続補正１２】
【補正対象書類名】明細書
【補正対象項目名】００１６
【補正方法】変更
【補正の内容】
【００１６】
上記の乗物用シートにおいて、前記形状保持部材の前記一端の前記サイドフレームへの取り付け部分と前記他端の前記サイドフレームへの取り付け部分とは、鉛直方向に対して異なる角度をもって延在していると好適である。
【手続補正１３】
【補正対象書類名】明細書
【補正対象項目名】００１７
【補正方法】変更
【補正の内容】
【００１７】
上記の乗物用シートにおいて、前記サイドフレームに取り付けられるエアバッグモジュールを備え、前記形状保持部材は、シート側面視で、前記エアバッグモジュールよりも小さく形成されていると好適である。
【手続補正１４】
【補正対象書類名】明細書
【補正対象項目名】００１８
【補正方法】変更
【補正の内容】
【００１８】
本発明によれば、サイドフレームの剛性を向上させた乗物用シートを提供することができる。
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】